(57)【要約】【課題】本発明は、上流側の搬送されてくる感光材料に現像処理による水分が付着している場合であっても、該感光材料を円滑に下流側の搬送系に案内することのできるガイド体を備えた写真処理装置を提供することを課題とする。【解決手段】搬送中の感光材料の一方の面が摺接する案内面を有し、上流側の現像処理部から搬送されてくる現像処理された感光材料を、前記現像処理部の下流側に設けられた乾燥処理部の搬送系に案内するガイド体を備えた写真処理装置において、前記ガイド体は、該案内面が凹凸面で構成されてなることを特徴とする。【選択図】　　　　　図２
2004046028.tif 000002
【特許請求の範囲】
【請求項１】
搬送中の感光材料の一方の面が摺接する案内面を有し、上流側の現像処理部から搬送されてくる現像処理された感光材料を、前記現像処理部の下流側に設けられた乾燥処理部の搬送系に案内するガイド体を備えた写真処理装置において、前記ガイド体は、該案内面が凹凸面で構成されてなることを特徴とする写真処理装置。
【発明の詳細な説明】
【０００１】
【発明の属する技術分野】
本発明は、感光材料に対して露光処理、現像処理、乾燥処理を順次施し、該感光材料に画像を形成する写真処理装置に関する。
【０００２】
【従来の技術】
従来から、画像データに基づいて露光処理した感光材料を、現像液に対して浸漬、及び引き上げを繰り返して現像処理した後に、該感光材料を乾燥処理するように構成された写真処理装置が周知である。
【０００３】
前記露光処理、現像処理、及び乾燥処理は、写真処理装置内に上流から下流に向けて形成された搬送系により感光材料が搬送されつつ行われる。該搬送系としては、写真処理装置の上流から下流に向けて所定間隔を有して配置された複数のローラ対により構成されたものが一般的である。
【０００４】
現像処理、及び乾燥処理に所定時間を要するため、前記現像処理が行われる部位（以下、現像処理部という）、及び乾燥処理が行われる部位（以下、乾燥処理部という）の前記ローラ対の配置は、感光材料を連続して上下方向に複数回ターンさせて搬送できるように配置にされている。すなわち、現像処理、及び乾燥処理に必要な時間に対応させた搬送距離を確保すべく、複数のローラ対は、感光材料を搬送する搬送系路がＳ字状を呈するように配設されている。
【０００５】
前記搬送系における感光材料の搬送方向を切り換える部分（ローラ対間）には、上述の如く、感光材料を円滑にターンさせるために、上流から搬送されてくる感光材料を下流側のローラ対に案内するガイド体が設けられている。該ガイド体は、上流から搬送されてくる感光材料の先端部が摺接する凹状の湾曲面が上流から下流に向けて形成されており、搬送中の感光材料の先端が湾曲面に沿って下流側に移動する（感光材料が下流に向けて搬送される）につれ、該感光材料が姿勢変更して、該感光材料の搬送方向が円滑に切り替わるようになっている。
【０００６】
ところが、該ガイド体の配置された上流側のローラ対（搬送系）と下流側のローラ対（搬送系）との間の間隔が広い場合、下流側のローラ対と前記湾曲面の下流端との間に間隙ができる場合がある。このため、感光材料の搬送速度が速くなると感光材料の先端部がガイド体の凹状の湾曲面に摺接しながら乾燥処理部側のローラ対（搬送系）に搬送されるが、湾曲面に沿って姿勢変更した感光材料の先端部が、該下流側のローラ対間に円滑に導かれない場合があった。すなわち、感光材料の先端部が、下流側のローラ対を構成する一方のローラに一旦衝突した後に、ローラ対間に導かれることとなり、感光材料の先端部にダメージを与えてしまうことがあった。
【０００７】
そこで、下流側のローラ対と前記湾曲面の下流端との間の間隙に対応するように、姿勢変更した感光材料の一方の面が摺接する平面状の案内面を、ガイド体の湾曲面の下流端から下流側のローラ対近傍まで延設させることが行われている。
【０００８】
【発明が解決しようとする課題】
ところで、現像液（水分）の付着した感光材料が平面状の面に接触すると、感光材料が平面に吸着してしまう場合がある。したがって、現像処理部から搬送されてくる現像液の付着した感光材料が、ガイド体の湾曲面により姿勢変更した後、ガイド体の湾曲面の下流端から乾燥処理部のローラ対の近傍まで延設した平面状の案内面に摺接すると、感光材料が案内面に吸着されてしまい、感光材料を円滑に乾燥処理部側のローラ対（搬送系）に向けて搬送できなくなる場合があった。これは案内面における平面状の面積が大きくなるほど顕著に発生する。
【０００９】
そこで、本発明は、斯かる実情に鑑み、上流側の現像処理部から搬送されてくる感光材料に現像処理による水分が付着している場合であっても、該感光材料を円滑に下流側に設けられた乾燥処理部の搬送系に案内することのできるガイド体を備えた写真処理装置を提供することを課題とする。
【００１０】
【課題を解決するための手段】
本発明にかかる写真処理装置は、搬送中の感光材料の一方の面が摺接する案内面を有し、上流側の現像処理部から搬送されてくる現像処理された感光材料を、前記現像処理部の下流側に設けられた乾燥処理部の搬送系に案内するガイド体を備えた写真処理装置において、前記ガイド体は、該案内面が凹凸面で構成されてなることを特徴とする。
【００１１】
上記写真処理装置によれば、案内面が凹凸面で構成されているので、上流側の現像処理部から搬送されてくる感光材料に水分（現像液等）が付着していても、該感光材料の一方の面が案内面に面接触せず、案内面と感光材料との間に介在する水分によって吸着力が生じず、感光材料を前記現像処理部の下流側に設けられた乾燥処理部の搬送系へと円滑に案内することができる。
【００１２】
すなわち、案内面（凹凸面）の凸部に感光材料の一方の面が摺接した際に、該案内面の凹部によって、感光材料と案内面との間に空間を作ることができるので、案内面に対する感光材料の接触面積を小さくすることができ、感光材料に水分が付着していても、案内面に感光材料が吸着されず該感光材料を下流側の搬送系に円滑に案内することができる。
【００１３】
【発明の実施の形態】
以下、本発明の一実施形態にかかる写真処理装置について、添付図面を参酌しつつ説明する。
【００１４】
本実施形態にかかる写真処理装置は、図１に示す如く、該写真処理装置の操作を行う操作部１と、感光材料Ｐに露光処理を施す露光処理部２と、露光処理部２で露光処理が施された感光材料Ｐに現像処理を施す現像処理部３と、現像処理部３で現像処理が施された感光材料Ｐを乾燥する乾燥処理部４と、該乾燥処理部４で乾燥した感光材料Ｐをオーダー、及びサイズ毎に仕分けて回収する回収部５とで構成されている。
【００１５】
前記操作部１は、各処理の処理状況や操作案内等を表示するモニター６と、該モニター６の表示に基づきキー入力を行う入力装置７と、ＣＤ−ＲＯＭやメモリーカード等のメディアから画像データを読み込む読込装置８と、入力装置７からの入力データや、読込装置８で読み込んだ画像データを適宜演算処理し、露光処理部２の動作等を制御する演算処理装置９（以下、ＣＰＵという）とを備えている。
【００１６】
前記露光処理部２は、ロール状にされた長尺な感光材料Ｐを収納する一対のマガジン１０ａ，１０ｂと、該マガジン１０ａ，１０ｂから引き出された感光材料Ｐを所定の長さで切断する切断装置１１と、該切断装置１１により切断された感光材料Ｐを下流に向けて搬送する搬送装置１２と、該搬送装置１２により搬送されてきた感光材料Ｐを露光処理する露光処理装置１３とで構成されている。
【００１７】
前記一対のマガジン１０ａ，１０ｂは、露光処理部２内の下部で横方向に併設されており、一方のマガジン１０ａには、一方の面を内側（乳剤面を外側）に位置させるようにロール状にされた幅の狭い長尺な感光材料Ｐが軸回りに回転可能に収納され、他方のマガジン１０ｂには、一方の面を内側（乳剤面を外側）に位置させるようにロール状にされた幅の広い（例えば、幅の狭い感光材料Ｐの略二倍、又は略三倍の幅の）感光材料Ｐが軸回りに回転可能の収納されている。
【００１８】
前記切断装置１１は、露光処理部２内の下部に配置された前記一対のマガジン１０ａ，１０ｂ間に位置して、前記一対のマガジン１０ａ，１０ｂのそれぞれの下流側に設けられている。該切断装置１１は、マガジン１０ａ，１０ｂから引き出された感光材料Ｐを切断すべく、互いに接離する一対のカッター１４を備えている。
【００１９】
前記搬送装置１２は、前記切断装置１１の下流側（上方）に設けられている。該搬送装置１２は、搬送方向に対して直交方向に所定間隔を有し、上下方向に（切断装置１１から露光処理装置１３に向けて）配された一対のレール１５と、該レール１５に沿って移動する一対の搬送体１６とで構成されている。
【００２０】
前記一対の搬送体１６のそれぞれは、各レール１５に摺動可能に設けられており、前記レール１５の長手（上下）方向に対して直交方向で移動する横方向移動体（図示しない）を備えている。該横方向移動体は、感光材料Ｐを把持可能に構成されており、幅の狭い感光材料Ｐ（一方のマガジン１０ａから引き出された感光材料）を搬送する場合に、横方向に移動して先行する幅の狭い感光材料Ｐと、後続の幅の狭い感光材料Ｐの搬送系路を振り分け、これらの感光材料Ｐを搬送方向に対して直交方向で並列状態で搬送するようになっている。一方、幅の広い感光材料Ｐを搬送する際には、一対の搬送体１６のそれぞれの横方向移動体で感光材料Ｐを把持して下流側に搬送するようになっている。
【００２１】
前記露光処理装置１３は、露光処理部２内の上部に設けられており、搬送中の感光材料Ｐの乳剤面を露光する露光ヘッド１７と、該露光ヘッド１７が感光材料Ｐの乳剤面を露光する露光領域を挟んで感光材料Ｐの搬送方向の上流側及び下流側（上下方向）のそれぞれに設けられた露光用搬送ローラ対１８ａ，１８ｂ（一対の露光用搬送ローラ）とで構成されている。
【００２２】
前記露光ヘッド１７は、ハロゲンランプ等からなる光源１９と、該光源１９に光ファイバー束２０を介して接続された光シャッター２１とで構成されており、該光シャッター２１は、感光材料Ｐの搬送方向と直交したライン状をなし、搬送される感光材料Ｐの乳剤面と対向するように設けられている。
【００２３】
前記光シャッター２１は、チタン酸ジルコン酸鉛にランタンを添加することにより得られる透光性電圧セラミックス、いわゆるＰＬＺＴで構成されており、該ＰＬＺＴは、所定レベルの電圧が印加されると光を透過させ得る状態となる一方、電圧の印加が停止されると光を遮断する性質を有している。つまり、光シャッター２１は、読み込まれた画像データに基づいて、操作部１のＣＰＵ９から電圧の印加、及び印加の停止が指示され、光源１９からの光の透過及び遮断が制御されて感光材料ＰにＲＧＢ各色の光を照射して露光し得るように構成されている。
【００２４】
前記露光用搬送ローラ対１８ａ，１８ｂのそれぞれは、露光中の感光材料Ｐを圧着した状態で下流側（現像処理部３）に向けて搬送するように構成されている。
【００２５】
前記現像処理部３は、複数の槽からなる現像処理槽２２を備えており、前記現像処理槽２２における複数の槽のそれぞれには、搬送系を構成する複数のローラ対２３（図においては、一部のローラ対を示す）が内装されるとともに、現像液Ｗが入れられている。前記複数のローラ対２３は、連続したＳ字状の搬送系路を構成するように配置されている。これにより、該複数のローラ対２３で露光処理された感光材料Ｐが搬送されることで、各槽の現像液Ｗへの浸漬と現像液Ｗからの引き上げが繰り返されて現像される。すなわち、該現像処理部３は、感光材料Ｐがローラ対２３の配置（Ｓ字状の搬送系路）に沿って湾曲しつつ搬送方向を切り替え、該感光材料Ｐにおける現像液Ｗへの浸漬と現像液Ｗからの引き上げがなされるようになっている。なお、幅の狭い感光材料Ｐにおける現像処理部３での処理は、露光処理前に搬送装置１２により並列配置された状態を維持したまま行われる
【００２６】
前記乾燥処理部４は、上流から下流に向けて所定間隔を有して筐体Ｂ内に配置され、現像処理部３から搬送されてくる感光材料Ｐを下流側に設けられた後述する振分装置２４に向けて搬送する搬送系２５と、該乾燥処理部４（筐体Ｂ内）を所定温度に加熱すべく、熱源（図示しない）に接続されて熱風を吹き出すダクト２６とを備えている。
【００２７】
前記搬送系２５は、上流から下流に向けて所定間隔を有して配置された複数のローラ対２７で構成されており、前記ダクト２６から吹き出される熱風を、現像処理後の感光材料Ｐに所定時間で且つ効率よく吹きつけ得るように、感光材料Ｐを一旦下方に向けて搬送した後に、感光材料Ｐの搬送方向を上方に向けて切り換えることで、ダクト２６からの熱風を吹き付ける時間（処理時間）を確保するようになっている。すなわち、現像処理部３から搬送されてくる感光材料Ｐを搬送する乾燥処理部４内の複数のローラ対２７が形成する搬送経路は、略Ｕ字状に形成されている。
【００２８】
前記現像処理部３から搬送されてくる感光材料Ｐを、上述の如く、乾燥処理部４の略Ｕ字状の搬送系路で搬送すべく、現像処理部３の最下流部に位置するローラ対２３ａと乾燥処理部４の最上流のローラ対２７ａとの間に、感光材料Ｐの搬送方向を切り換えるガイド体であるガイド板２８が設けられている。すなわち、現像処理部３から横方向（略水平方向）で搬送されてくる感光材料Ｐの搬送方向を下方に向けて切り換えるガイド板２８が、乾燥処理部４の最上流部に設けられている。
【００２９】
該ガイド板２８は、図２に示す如く、板材で構成されており、感光材料Ｐの搬送方向の上流から下流に向けて凹状の湾曲面２９を形成した湾曲部３０と、該湾曲部３０の下流端から真っ直ぐ前記最上流のローラ対２７ａ間まで（下流側に）延出し、前記湾曲面２９と連続した案内面３１を形成した延出部３２とで構成されている。
【００３０】
前記湾曲面２９は、現像処理部３から搬送されてくる感光材料Ｐの搬送方向下流側の端部（先端部）が摺接することで、該感光材料Ｐが下流側に搬送されるにつれ、該感光材料Ｐが姿勢変更するように構成されている。なお、感光材料Ｐの上流端が湾曲面２９に摺接した際に、該感光材料Ｐが円滑に姿勢変更し得るように、感光材料Ｐの他方の面をガイドするガイドローラ３４が前記湾曲面２９に対向配置されている。
【００３１】
該ガイド板２８の案内面３１は、プレス加工により小さな突起３３が複数形成されて凹凸面をなしている。この案内面３１は、湾曲面２９により姿勢変更した感光材料Ｐの一方の面が複数の突起３３に摺接して案内するように構成されている。すなわち、該案内面３１は、感光材料Ｐの一方の面が該案内面３１（突起３３）に摺接した際に、突起３３により形成された凹部により該案内面３１の全面に感光材料Ｐの一方の面が面接触しないようになっている。これにより、現像処理部３で現像処理されて現像液Ｗの付着した感光材料Ｐが、案内面３１上を摺接しても、現像液Ｗによって該案内面３１に吸着されるのを防止することができ、該感光材料Ｐを下流側に向けて円滑に搬送することができる。
【００３２】
上記構成の湾曲面２９及び案内面３１には、案内面３１の凹凸状態を維持させた状態で、撥水性を有する表面処理（例えば、フッ素加工）が施されており、感光材料Ｐに付着した現像液Ｗが湾曲面２９及び案内面３１に付着するのを防止している。これにより、湾曲面２９及び案内面３１で現像液Ｗが結晶化して、該湾曲面２９及び案内面３１に摺接する感光材料Ｐにダメージを与えるのを防止している。
【００３３】
なお、ガイド板２８の延出部３２が介在する乾燥処理部４における最上流部のローラ対２７ａの一方のローラ３５、及び該ローラ対２７ａの下流側に位置するローラ対２７の一方のローラには、無端ベルト３６が掛け渡され、延出部３２によって案内されてくる感光材料Ｐを円滑に受け取ることができるようになっている。すなわち、延出部３２に沿って搬送されてくる感光材料Ｐが該無端ベルト３６に沿うように、該無端ベルト３６及び他方のローラで圧着された状態で搬送されるようになっている。
【００３４】
図１に戻り、前記回収部５は、前記乾燥処理部４にて乾燥した感光材料Ｐをサイズ毎に振り分ける前記振分装置２４と、該振分装置２４で振り分けた感光材料Ｐをオーダー毎に仕分ける仕分装置（図示しない）とで構成されている。
【００３５】
前記振分装置２４は、乾燥処理部４から搬送されてくる感光材料Ｐを振り分ける傾動可能な振分板３７を備えている。具体的には、搬送系路（乾燥処理部４）を通過した感光材料Ｐがサイズの小さな感光材料Ｐであるか、サイズの大きな感光材料Ｐであるかを上流側に配置されたセンサー（図示しない）が検知し、該検知結果に基づいて振分板３７が姿勢変更するようになっている。
【００３６】
センサーがサイズの小さな感光材料Ｐを検知した場合には、振分板３７が略水平を維持し、感光材料Ｐの一方の面が振分板３７の上面を摺動した状態で下流側の前記仕分装置の後述するコンベア３８に向けて搬送される。
【００３７】
一方、センサーがサイズの大きな感光材料Ｐを検知した場合には、振分板３７が傾動する。このように振分板３７が姿勢変更すると、上流側（乾燥処理部４）から搬送されてきた感光材料Ｐの他方の面（乳剤面）が、傾動した振分板３７の下面に摺接し、搬送系路がサイズの小さな感光材料Ｐの搬送される搬送経路に比して下方に向けて切り替えられ、該感光材料Ｐが下流側に配置されたトレー３９に向けて搬送され、該感光材料Ｐが回収される。
【００３８】
前記仕分装置は、感光材料Ｐの搬送方向に対して直交方向に移動する前記コンベア３８と、該コンベア３８によって運ばれてくる感光材料Ｐをオーダー毎に仕分ける仕分機構（図示しない）とで構成されている。
【００３９】
前記仕分機構は、上下方向に移動可能に配設された複数の受け皿を備えており、該受け皿が上下方向に移動することで、コンベア３８によって搬送されてくる感光材料Ｐを各受け皿へオーダー毎に振り分けるように構成されている。
【００４０】
以上構成からなる写真処理装置は、ガイド体２８の延出部３２における感光材料Ｐを案内する案内面３１が凹凸面で構成されているので、現像処理された現像液Ｗの付着した感光材料Ｐの一方の面が該案内面３１に摺接しても、感光材料Ｐの一方の面と案内面３１とが面接触せず、延出部３２と感光材料Ｐとの間に介在する現像液Ｗによって吸着力が生じず、感光材料Ｐを下流側のローラ対（搬送系）へと円滑に案内することができる。すなわち、案内面３１に複数の小さな突起３３を形成して凹凸を形成したので、感光材料Ｐの一方の面が該案内面３１に摺接した際に、該突起３３間の凹部によって感光材料と案内面３１との接触面積が小さくなり、感光材料Ｐに現像液Ｗが付着していても、案内面３１に感光材料Ｐが吸着されず該感光材料Ｐを乾燥処理部４の搬送系２５に円滑に案内することができる。
【００４１】
尚、本発明の写真処理装置は、上記実施の形態に限定されるものではなく、本発明の要旨を逸脱しない範囲内において種々変更を加え得ることは勿論である。
【００４２】
本実施形態において、ガイド体２８の案内面３１に複数の突起３３を形成して、該案内面３１を凹凸面に形成したが、該案内面３１は、複数の突起３３により凹凸面を形成したものに限定されるものではなく、感光材料Ｐとの接触面積が小さくなるように凹凸面に形成されたものであればよい。
【００４３】
具体的には、図３に示す如く、案内面３１に複数の段部４０を形成し、該複数の段部４０によって凹凸面を形成してもよい。このようにすれば、感光材料Ｐの一方の面が摺接する案内面３１が、複数の凹部と凸部を有することとなり、感光材料Ｐとの接触面積を小さくすることができるので、本実施形態と同様に、現像処理されて現像液Ｗの付着した感光材料Ｐが、案内面３１に摺接しても該案内面３１に吸着せず、円滑に感光材料Ｐを乾燥処理部４に搬送することができる。また、案内面３１に、複数の段部４０の凹凸状態を維持させた状態で、撥水性を有するフッ素樹脂テープ４１が貼着されれば、感光材料Ｐに付着した現像液Ｗが案内面３１に付着するのを防止することができる。これにより、案内面３１で現像液Ｗが結晶化して、該案内面３１に摺接する感光材料Ｐにダメージを与えるのを防止することができる。
【００４４】
また、本実施形態におけるガイド体２８は、感光材料Ｐの搬送方向を切り換える湾曲面２９と、該湾曲面２９に連設された案内面３１とを備えたが、ガイド体２８の配置位置によっては、必ずしも湾曲面２９を備える必要はない。すなわち、感光材料Ｐの搬送方向の切り換えが必要なく、単に現像処理後の感光材料Ｐを下流側の搬送系（ローラ対）に案内するような場合であれば、本実施形態にかかる延出部３２のみをガイド体２８として採用してもよい。この場合においても、感光材料Ｐが案内面３１に吸着されるのを防止することができることは勿論のことである。
【００４５】
本実施形態において、ガイド体２８と隣り合う下流側のローラ対２７ａの一方のローラ３５と該ローラ３５の下流側のローラに無端ベルト３６を掛け渡したが、該無端ベルト３６は、必ずしも設ける必要はない。この場合において、ガイド体２８の延出部３２は、下流端部が下流側のローラ対２７ａに隣接して位置するように構成すればよい。すなわち、搬送系２５は、複数のローラ対２７を搬送方向に適宜配置したものや、ローラと無端ベルトとを組み合わせたものなどに適宜変更可能である。
【００４６】
本実施形態において、現像処理部３と乾燥処理部４との間に配置されたガイド体２８について説明したが、該ガイド体２８は、現像処理部３に設けられた搬送系の搬送方向切り換え部分（現像液に対する感光材料の引き上げ、及び浸漬を行うべく、搬送方向を切り換える部分）にも採用することができる。この場合に、おいても、現像液（水分）の付着した感光材料が、ガイド体（案内面）に吸着するのを防止することができる。
【００４７】
本実施形態において、ガイド体２８の案内面３１で感光材料Ｐの一方の面を案内するようにしたが、該ガイド体２８は、感光材料Ｐの一方の面（乳剤面ではない面）を案内するものに限定されるものではなく、装置内のレイアウト等により感光材料Ｐの他方の面（乳剤面）を案内するようにしても勿論よい。この場合において、本実施形態と同様の作用、効果を得られることは勿論のことである。
【００４８】
【発明の効果】
以上のように、本発明にかかる写真処理装置によれば、感光材料を案内する案内面が凹凸面で構成されているので、上流側の現像処理部から搬送されてくる感光材料に水分が付着していても、該感光材料が案内面に吸着せず、該感光材料を現像処理部の下流側に設けられた乾燥処理部の搬送系へと円滑に案内することができる。
【図面の簡単な説明】
【図１】本発明の一実施形態にかかる写真処理装置の概略説明図を示す。
【図２】同実施形態にかかるガイド板、及び該ガイド板周辺の概略説明図を示す。
【図３】他実施形態にかかるガイド板、及び該ガイド板周辺の概略説明図を示す。
【符号の説明】
１…操作部、２…露光処理部、３…現像処理部、４…乾燥処理部、５…回収部、６…モニター、７…入力装置、８…読込装置、９…演算処理装置（ＣＰＵ）、１０ａ，１０ｂ…マガジン、１１…切断装置、１２…搬送装置、１３…露光処理装置、１４…カッター、１５…レール、１６…搬送体、１７…露光ヘッド、１８ａ，１８ｂ…露光用搬送ローラ対、１９…光源、２０…光ファイバー束、２１…光シャッター、２２…現像処理槽、２３，２３ａ，２７，２７ａ…ローラ対、２４…振分装置、２５…搬送系、２６…ダクト、２８…ガイド体（ガイド板）、２９…湾曲面、３０…湾曲部、３１…案内面、３２…延出部、３３…突起、３４…ガイドローラ、３５…ローラ、３６…無端ベルト、３７…振分板、３８…コンベア、３９…トレー、４０…段部、４１…フッ素樹脂テープ、Ｂ…筐体、Ｐ…感光材料、Ｗ…現像液
【図１】
2004046028.tif 000003
【図２】
2004046028.tif 000004
【図３】
2004046028.tif 000005